(57)【要約】【課題】第１の装置１と第２の装置２との間で共通のケーブル３を介して複数の周波数信号を通信する通信システムで、それぞれの周波数信号のケーブルでのレベル損失分を効率的に補正する。【解決手段】第１の装置の送信側基準周波数信号レベル検出手段４１、４３及び第２の装置の受信側基準周波数信号レベル検出手段７１、７３が、ケーブルを介して第１の装置から第２の装置へ送信する周波数信号の中で基準となる周波数信号のレベルを検出する。第１の装置では基準以外周波数信号レベル制御手段４４〜５１、３２〜３５が第１の装置における検出結果と第２の装置における検出結果との比較結果に基づいて第１の装置と第２の装置との間でケーブルを介して通信する基準となる周波数信号以外の周波数信号のレベルを制御する。【選択図】      図２
2005020139.tif 000002
【特許請求の範囲】
【請求項１】
第１の装置と第２の装置との間で共通のケーブルを介して複数の周波数信号を通信する通信システムにおいて、
第１の装置は、ケーブルを介して第２の装置に対して送信する周波数信号の中で基準となる周波数信号のレベルを検出する送信側基準周波数信号レベル検出手段を備え、
第２の装置は、ケーブルを介して第１の装置から受信される基準となる周波数信号のレベルを検出する受信側基準周波数信号レベル検出手段を備え、
更に、当該通信システムは、第１の装置の送信側基準周波数信号レベル検出手段による検出結果と第２の装置の受信側基準周波数信号レベル検出手段による検出結果との比較結果に基づいて第１の装置と第２の装置との間でケーブルを介して通信する基準となる周波数信号以外の周波数信号のレベルを制御する基準以外周波数信号レベル制御手段を備えた、
ことを特徴とする通信システム。
【請求項２】
請求項１に記載の通信システムにおいて、
第１の装置の送信側基準周波数信号レベル検出手段は、ケーブルを介して第２の装置に対して送信する周波数信号の中で基準となる周波数信号のレベルの平均値を検出し、
第２の装置の受信側基準周波数信号レベル検出手段は、ケーブルを介して第１の装置から受信される基準となる周波数信号のレベルの平均値を検出し、
更に、第２の装置は、受信側基準周波数信号レベル検出手段による検出結果を第１の装置に対して送信する受信側基準周波数信号レベル検出結果送信手段を備え、
更に、第１の装置は、第２の装置の受信側基準周波数信号レベル検出結果送信手段により送信される第２の装置の受信側基準周波数信号レベル検出手段による検出結果を受信する受信側基準周波数信号レベル検出結果受信手段を備え、
更に、基準以外周波数信号レベル制御手段は、第１の装置に備えられ、
基準以外周波数信号レベル制御手段は、送信側基準周波数信号レベル検出手段による検出結果と受信側基準周波数信号レベル検出結果受信手段により受信される検出結果との比較結果に基づいてケーブルを介して第２の装置に対して送信する基準となる周波数信号のレベルを制御する基準周波数信号レベル制御手段と、基準周波数信号レベル制御手段による制御結果と第１の装置と第２の装置との間でケーブルを介して通信する基準となる周波数信号以外の周波数信号のレベルを制御する態様との対応を記憶する基準周波数信号レベル制御結果基準以外周波数信号レベル制御態様対応記憶手段を有しており、基準周波数信号レベル制御結果基準以外周波数信号レベル制御態様対応記憶手段の記憶内容に基づいて基準周波数信号レベル制御手段による制御結果に対応した制御態様で第１の装置と第２の装置との間でケーブルを介して通信する基準となる周波数信号以外の周波数信号のレベルを制御する、
ことを特徴とする通信システム。
【請求項３】
請求項１又は請求項２に記載の通信システムにおいて、
当該通信システムは、無線基地局システムであり、
第１の装置は、室内装置であり、
第２の装置は、屋外装置であり、
基準となる周波数信号は、送信系の信号であり、
第１の装置と第２の装置との間でケーブルを介して複数の周波数信号を多重化して通信する、
ことを特徴とする通信システム。
【発明の詳細な説明】
【０００１】
【発明の属する技術分野】
本発明は、第１の装置と第２の装置との間で共通のケーブルを介して複数の周波数信号を通信する通信システムに関し、特に、それぞれの周波数信号のケーブルでのレベル損失分を効率的に補正する通信システムに関する。
【０００２】
【従来の技術】
例えば、室内装置（ＩＤＵ：Ｉｎ  Ｄｏｏｒ  Ｕｎｉｔ）と屋外装置（ＯＤＵ：Ｏｕｔ  Ｄｏｏｒ  Ｕｎｉｔ）とを１本のケーブルを介して接続した無線基地局システムでは、当該１本のケーブルに複数の周波数信号を多重して通信することが行われる。このような無線基地局システムでは、接続する装置のいずれか一方又は両方に可変利得器を配置して、運用開始時やケーブル接続時に、各周波数信号毎に基準テスト信号（キャリブレーション用信号）と測定器を用いて校正作業を行うことが必要であった。
【０００３】
しかしながら、このような無線基地局システムでは、経年変化や環境変化によるケーブルの損失（ロス）の変動が生じた場合や、校正誤差や作業ミス等による不正確さなどがある場合には、誤差を含んだままの状態で運用することになる事態も起こり得る。
【０００４】
また、装置の設置場所が山間部などのように遠隔地である場合には、校正作業時における器材の移動や作業者の手間が煩雑となる。また、装置を塔頂に設置する場合には、危険が伴う特殊な作業となっていた。
また、定期的な再校正作業も必要であった。
ケーブルの損失は、その長さや個体差等により変化し、伝送する信号の周波数により変化し、環境変化などによっても変動するものである。
【０００５】
なお、例えば、加入者無線アクセス（ＦＷＡ：Ｆｉｘｅｄ  Ｗｉｒｅｌｅｓｓ  Ａｃｃｅｓｓ）などのシステムでは、屋外ユニット（ＯＤＵ）と屋内ユニット（ＩＤＵ）とを通信ケーブルで接続した形式を有する基地局装置（基地局システム）や加入者局装置（加入者局システム）において、各ユニットの送信アンプのゲインを設定する仕方が検討等されている（例えば、特許文献１参照。）。
【０００６】
【特許文献１】
特開２００２−１９０７７１号公報
【０００７】
【発明が解決しようとする課題】
しかしながら、上記従来例で示したような無線基地局システムでは、１本のケーブルを介して複数の周波数信号を通信する場合に、それぞれの周波数信号毎に測定を行ってケーブルの損失分を補正していたため、このような補正が効率的ではなかった。
【０００８】
本発明は、このような従来の課題を解決するために為されたもので、第１の装置と第２の装置との間で共通のケーブルを介して複数の周波数信号を通信する構成において、それぞれの周波数信号のケーブルでのレベル損失分を効率的に補正することができる通信システムを提供することを目的とする。
【０００９】
【課題を解決するための手段】
上記目的を達成するため、本発明に係る通信システムでは、第１の装置と第２の装置との間で共通のケーブルを介して複数の周波数信号を通信するに際して、次のような処理を行う。
すなわち、第１の装置では、送信側基準周波数信号レベル検出手段が、ケーブルを介して第２の装置に対して送信する周波数信号の中で基準となる周波数信号のレベルを検出する。
第２の装置では、受信側基準周波数信号レベル検出手段が、ケーブルを介して第１の装置から受信される基準となる周波数信号のレベルを検出する。
【００１０】
そして、当該通信システムでは、基準以外周波数信号レベル制御手段が、第１の装置の送信側基準周波数信号レベル検出手段による検出結果と第２の装置の受信側基準周波数信号レベル検出手段による検出結果との比較結果に基づいて、第１の装置と第２の装置との間でケーブルを介して通信する基準となる周波数信号以外の周波数信号のレベルを制御する。
【００１１】
従って、第１の装置と第２の装置との間で共通のケーブルを介して複数の周波数信号を通信するに際して、基準となる周波数信号に関するレベルの検出結果に基づいて、他の周波数信号（基準となる周波数信号以外の周波数信号）のレベルを制御することにより、それぞれの周波数信号のケーブルでのレベル損失分を効率的に補正することができる。
【００１２】
ここで、第１の装置や、第２の装置としては、それぞれ、種々な装置が用いられてもよい。一例として、第１の装置と第２の装置とが接続されることにより、例えば基地局装置のような１つの装置（システム）が構成される。
また、ケーブルとしては、種々な有線のケーブルが用いられてもよい。
【００１３】
また、複数の周波数信号の数としては、種々な数が用いられてもよい。
また、複数の周波数信号としては、例えば、それぞれ、周波数（或いは、周波数帯）が異なっており、ケーブルを伝送するときにおけるレベルの損失の特性が異なる。
また、それぞれの周波数信号としては、種々な信号が用いられてもよい。
【００１４】
また、それぞれの周波数信号が通信される方向としては、種々な態様が用いられてもよく、例えば、それぞれの周波数信号は、第１の装置から送信されて第２の装置により受信される方向、或いは、第２の装置から送信されて第１の装置により受信される方向で、通信される。
【００１５】
また、基準となる周波数信号としては、種々な周波数信号が用いられてもよく、一例として、常に或いはほぼ常に第１の装置と第２の装置との間で通信されるような周波数信号が用いられるのが好ましい。
また、第１の装置の送信側基準周波数信号レベル検出手段や、第２の装置の受信側基準周波数信号レベル検出手段では、例えば、基準となる周波数信号のレベルとして、当該レベルの平均値を検出してもよく、具体的には、所定の回数分の平均値のように回数的な平均値や、所定の時間内の平均値のように時間的な平均値などを検出してもよい。
【００１６】
また、周波数信号のレベルとしては、種々なものが用いられてもよく、例えば、電力のレベルや、振幅のレベルなどを用いることができる。
また、基準以外周波数信号レベル制御手段は、通信システムのいずれのところに備えられてもよく、例えば、第１の装置に備えられてもよく、或いは、第２の装置に備えられてもよく、或いは、第１の装置と第２の装置とに分散されて備えられてもよく、或いは、他の装置に備えられてもよい。
【００１７】
また、第１の装置の送信側基準周波数信号レベル検出手段による検出結果と第２の装置の受信側基準周波数信号レベル検出手段による検出結果との比較結果としては、例えば、これら２つの検出結果で得られるレベルの大小を比較した結果が用いられる。一例として、これら２つの検出結果で得られるレベルの差が所定の値と一致或いはほぼ一致するように制御することにより、基準となる周波数信号のケーブルによる損失分を補正することができる。
【００１８】
また、基準以外周波数信号レベル制御手段により制御する対象となる周波数信号（基準となる周波数信号以外の周波数信号）としては、種々な周波数信号が用いられてもよく、例えば、基準となる周波数信号以外の全ての周波数信号が用いられてもよく、或いは、基準となる周波数信号以外の一部の任意の数の周波数信号が用いられてもよい。
【００１９】
また、基準以外周波数信号レベル制御手段により周波数信号（基準となる周波数信号以外の周波数信号）のレベルを制御する態様としては、種々な態様が用いられてもよく、例えば、当該周波数信号のケーブルでの損失分を補正するような態様が用いられ、一例として、予め設定された情報に基づいて制御を行う態様が用いられる。
【００２０】
本発明に係る通信システムでは、一構成例として、次のような構成とした。
すなわち、第１の装置の送信側基準周波数信号レベル検出手段は、ケーブルを介して第２の装置に対して送信する周波数信号の中で基準となる周波数信号のレベルの平均値を検出する。
第２の装置の受信側基準周波数信号レベル検出手段は、ケーブルを介して第１の装置から受信される基準となる周波数信号のレベルの平均値を検出する。
【００２１】
また、第２の装置では、受信側基準周波数信号レベル検出結果送信手段が、受信側基準周波数信号レベル検出手段による検出結果を第１の装置に対して送信する。
また、第１の装置では、受信側基準周波数信号レベル検出結果受信手段が、第２の装置の受信側基準周波数信号レベル検出結果送信手段により送信される第２の装置の受信側基準周波数信号レベル検出手段による検出結果を受信する。
【００２２】
また、基準以外周波数信号レベル制御手段は、第１の装置に備えられる。
基準以外周波数信号レベル制御手段では、基準周波数信号レベル制御手段が、送信側基準周波数信号レベル検出手段による検出結果と受信側基準周波数信号レベル検出結果受信手段により受信される検出結果（第２の装置の受信側基準周波数信号レベル検出手段による検出結果）との比較結果に基づいて、ケーブルを介して第２の装置に対して送信する基準となる周波数信号のレベルを制御し、また、基準周波数信号レベル制御結果基準以外周波数信号レベル制御態様対応記憶手段が、基準周波数信号レベル制御手段による制御結果と、第１の装置と第２の装置との間でケーブルを介して通信する基準となる周波数信号以外の周波数信号のレベルを制御する態様との対応を、記憶する。
そして、基準以外周波数信号レベル制御手段では、基準周波数信号レベル制御結果基準以外周波数信号レベル制御態様対応記憶手段の記憶内容に基づいて、基準周波数信号レベル制御手段による制御結果に対応した制御態様で、第１の装置と第２の装置との間でケーブルを介して通信する基準となる周波数信号以外の周波数信号のレベルを制御する。
【００２３】
従って、例えば基準となる周波数信号以外の周波数信号のレベルについての測定が行われなくとも、基準となる周波数信号のレベルの制御結果を取得し、当該取得された制御結果に対応した制御態様を用いることにより、基準となる周波数信号以外の周波数信号のレベルを制御することができる。
【００２４】
ここで、第２の装置の受信側基準周波数信号レベル検出結果送信手段により送信される、受信側基準周波数信号レベル検出手段による検出結果としては、種々なものが用いられてもよく、例えば、検出されたレベルの値の情報や、或いは、検出されたレベルの値に基づく他の情報などを用いることができる。
【００２５】
また、第２の装置の受信側基準周波数信号レベル検出手段による検出結果としては、例えば、複数の周波数信号を通信する共通のケーブルを介して第１の装置へ送信されるが、他の構成例として、他のケーブルを介して第１の装置へ送信される態様や、或いは、無線通信を介して第１の装置へ送信される態様などを用いることも可能である。
【００２６】
また、基準周波数信号レベル制御結果基準以外周波数信号レベル制御態様対応記憶手段により記憶される、第１の装置と第２の装置との間でケーブルを介して通信する基準となる周波数信号以外の周波数信号のレベルを制御する態様としては、例えば、それぞれの周波数信号毎に、制御態様が設定される。一例として、それぞれの周波数信号毎に、ケーブルでの損失分を補正することができるような制御態様が設定される。
また、基準周波数信号レベル制御結果基準以外周波数信号レベル制御態様対応記憶手段としては、例えば、メモリを用いて構成することができる。
【００２７】
本発明に係る通信システムでは、一構成例として、次のような構成とした。
すなわち、当該通信システムは、無線基地局システムである。
また、第１の装置は、室内（屋内）装置である。第２の装置は、屋外装置である。
また、基準となる周波数信号は、送信系の信号である。
また、第１の装置と第２の装置との間でケーブルを介して複数の周波数信号を多重化して通信する。
【００２８】
従って、このような無線基地局システムにおいて、室内装置と屋外装置との間で共通のケーブルを介して複数の周波数信号を多重化して通信するに際して、送信系の信号を基準として、これら複数の周波数信号のケーブルでの損失分を効率的に補正することができる。
【００２９】
ここで、無線基地局システムとしては、種々なものが用いられてもよく、例えば、加入者無線アクセス（ＦＷＡ）のシステムの基地局や、携帯電話システムの基地局や、簡易型携帯電話システム（ＰＨＳ：Ｐｅｒｓｏｎａｌ  Ｈａｎｄｙｐｈｏｎｅ  Ｓｙｓｔｅｍ）の基地局などを用いることができる。
【００３０】
また、室内装置や、屋外装置としては、それぞれ、種々な装置が用いられてもよい。一例として、屋外装置にはアンテナが備えられ、室内装置から屋外装置へ送信される信号がアンテナにより無線送信され、アンテナにより無線受信される信号が屋外装置から室内装置へ送信される。
【００３１】
また、送信系の信号としては、例えば、室内装置から屋外装置へ送信される、アンテナから無線送信する対象となる信号が用いられる。このような信号は、通常、常に或いはほぼ常に存在する。
また、多重化としては、例えば、周波数多重化が用いられる。
【００３２】
以下で、更に、本発明に係る構成例を示す。
本発明に係る通信システムでは、一構成例として、次のような構成とした。
すなわち、第１の装置の送信側基準周波数信号レベル検出手段は、ケーブルを介して第２の装置に対して送信する周波数信号の中で基準となる周波数信号のレベルの平均値を検出する。
基準以外周波数信号レベル制御手段では、第１の装置に備えられた受信側基準周波数信号レベル検出結果平均化手段が、第１の装置の受信側基準周波数信号レベル検出結果受信手段により受信される検出結果を平均化する。
また、基準以外周波数信号レベル制御手段では、第１の装置の送信側基準周波数信号レベル検出手段による検出結果と第１の装置の受信側基準周波数信号レベル検出結果平均化手段による平均化結果との比較結果に基づいて、第１の装置と第２の装置との間でケーブルを介して通信する基準となる周波数信号以外の周波数信号のレベルを制御する。
【００３３】
本発明に係る通信システムでは、例えば、それぞれの周波数信号のレベルは、それぞれの周波数信号毎に、制御される。
本発明に係る通信システムでは、一構成例として、基準周波数信号レベル制御手段による制御結果と第１の装置と第２の装置との間でケーブルを介して通信する基準となる周波数信号以外の周波数信号のレベルを制御する態様との対応は、それぞれの周波数信号がケーブルを介して通信される場合における当該ケーブルでのレベル損失の特性に基づいて設定される。当該特性は、通常、それぞれの周波数信号毎に異なる。
【００３４】
本発明に係る通信システムでは、一構成例として、基準周波数信号レベル制御手段による制御結果として、基準周波数信号レベル制御手段による制御により予想されるケーブルの長さの情報が用いられる。例えば、基準となる周波数信号についてのレベルの検出結果に基づく当該周波数信号のレベル制御においてケーブルの長さが予想され、当該予想結果に基づいて基準となる周波数信号以外の周波数信号のレベルが制御される。
【００３５】
本発明に係る通信システムでは、一構成例として、基準周波数信号レベル制御手段は、送信側基準周波数信号レベル検出手段による検出結果と、受信側基準周波数信号レベル検出結果受信手段により受信される検出結果（或いは、受信側基準周波数信号レベル検出結果平均化手段による平均化結果）と、ケーブルを介して第２の装置に対して送信する基準となる周波数信号のレベルを制御する態様が、所定の条件を満たすように、基準となる周波数信号のレベルを制御する。ここで、所定の条件としては、種々なものが用いられてもよく、例えば、基準となる周波数信号のケーブルでの損失分を補正するための条件が用いられる。
【００３６】
【発明の実施の形態】
本発明に係る実施例を図面を参照して説明する。
本実施例では、室内装置（ＩＤＵ）と屋外装置（ＯＤＵ）とをケーブルで接続して構成される無線基地局システムに本発明を適用した場合を示す。
まず、本実施例に係る無線基地局システムの概要を説明する。
図１には、本実施例に係る無線基地局システムの構成例を示してある。
【００３７】
本実施例に係る無線基地局システムは、室内装置（ＩＤＵ）１と、屋外装置（ＯＤＵ）２と、高周波ケーブルである同軸ケーブル３を用いて構成されている。
室内装置１と屋外装置２とは１本の同軸ケーブル３を介して接続されている。
また、屋外装置２には、アンテナ（図示せず）が備えられている。
【００３８】
室内装置１には、送信系１１と、送信モニタ系１２と、受信系１３と、受信モニタ系１４と、第１の監視制御信号系１５と、第２の監視制御信号系１６と、参照信号（ＲＥＦ信号）系１７と、周波数多重器１８が備えられている。
屋外装置２には、送信系２１と、送信モニタ系２２と、受信系２３と、受信モニタ系２４と、第１の監視制御信号系２５と、第２の監視制御信号系２６と、参照信号（ＲＥＦ信号）系２７と、周波数多重器２８が備えられている。
【００３９】
そして、室内装置１の送信系１１から屋外装置２の送信系２１へ送信系の信号が送信され、屋外装置２の送信モニタ系２２から室内装置１の送信モニタ系１２へ送信モニタ系の信号が送信され、屋外装置２の受信系２３から室内装置２の受信系１３へ受信系の信号が送信され、室内装置１の受信モニタ系１４から屋外装置２の受信モニタ系２４へ受信モニタ系の信号が送信され、室内装置１の第１の監視制御信号系１５から屋外装置２の第１の監視制御信号系２５へ第１の監視制御信号が送信され、屋外装置２の第２の監視制御信号系２６から室内装置１の第２の監視制御信号系１６へ第２の監視制御信号が送信され、室内装置１のＲＥＦ信号系１７から屋外装置２のＲＥＦ信号系２７へ参照信号（ＲＥＦ信号）が送信される。
【００４０】
また、室内装置１と屋外装置２との間で通信される上記した７つの系の信号は、室内装置１の周波数多重器１８の機能及び屋外装置２の周波数多重器２８の機能により、周波数多重化されて共通の同軸ケーブル３を伝送する。室内装置１の周波数多重器１８や屋外装置２の周波数多重器２８は、送信対象となる信号については同軸ケーブル３へ送信出力し、同軸ケーブル３から受信入力される信号については各系の周波数毎に分離して対応する系へ入力させる。
【００４１】
また、同図には、同軸ケーブル３を伝送する周波数多重化された信号のスペクトラムのイメージの一例を示してある。グラフの横軸は周波数を示しており、縦軸は信号の電力を示している。
当該スペクトラムに見られるように、本例の無線基地局システムでは、室内装置１と屋外装置２との間で通信することが必要となる複数の信号をそれぞれ異なる周波数の高周波信号としてあり、周波数多重器１８、２８により多重化して通信している。
【００４２】
ここで、送信系の信号は、例えば、通信相手となる端末局装置（図示せず）に対する信号であり、室内装置１から屋外装置２へ同軸ケーブル３を介して送信されて、屋外装置２のアンテナから無線により送信される。
また、受信系の信号は、例えば、通信相手となる端末局装置（図示せず）からの信号であり、屋外装置２のアンテナにより受信されて、屋外装置２から室内装置１へ同軸ケーブル３を介して送信される。
なお、室内装置１は、例えば、バックボーンのネットワーク（図示せず）と接続されており、送信系の信号や受信系の信号を当該ネットワークとの間で通信する。
【００４３】
送信モニタ系の信号は、送信系に関する監視信号（モニタ信号）であり、種々な任意の利用が為されてもよい。
受信モニタ系の信号は、受信系に関する監視信号（モニタ信号）であり、種々な任意の利用が為されてもよい。
【００４４】
第１の監視制御信号は、例えば、室内装置１と屋外装置２との間で監視や制御を行うための信号であり、種々な任意の利用が為されてもよい。
第２の監視制御信号は、例えば、室内装置１と屋外装置２との間で監視や制御を行うための信号であり、種々な任意の利用が為されてもよい。なお、本実施例では、第２の監視制御信号を用いて、屋外装置２から室内装置１へ、受信した送信系の信号のレベルを報告するための情報が通信される。
ＲＥＦ信号は、例えば、周波数などの基準となる信号である。
【００４５】
また、同軸ケーブル３として用いられている高周波ケーブルは、一般的に、伝送される信号の周波数が高くなるほど損失が大きくなる周波数特性を有しており、当該損失は当該ケーブルの長さに比例する。
また、同軸ケーブル３の長さは、室内装置１や屋外装置２の設置場所の環境や、装置１、２間の距離などによって、変化する。
【００４６】
次に、本発明に係る第１実施例を説明する。
図２には、本例の無線基地局システムの構成例を示してある。なお、概略的な構成については、上記図１に示した通りである。
室内装置１には、送信系１１として結合器（ＣＰＬ）３１や可変利得器３２が備えられており、受信系１３として可変利得器３３が備えられており、受信モニタ系１４として可変利得器３４が備えられており、送信モニタ系１２として可変利得器３５が備えられており、ＲＥＦ信号系１７として基準周波数送信部３６が備えられており、第２の監視制御信号系１６として制御信号復調部３７が備えられており、第１の監視制御信号系１５として制御信号変調部３８が備えられている。
【００４７】
また、室内装置１には、可変利得器３２〜３５により、送信系や受信系や受信モニタ系や送信モニタ系の信号のレベルを制御するための構成部として、レベル検出器４１と、Ａ／Ｄ（Ａｎａｌｏｇ  ｔｏ  Ｄｉｇｉｔａｌ）変換器４２と、平均化処理部４３と、比較制御部４４と、送信系のＤ／Ａ（Ｄｉｇｉｔａｌ  ｔｏ  Ａｎａｌｏｇ）変換器４５と、収束結果取得部４６と、ケーブル補正値設定部４７と、メモリ４８と、受信系のＤ／Ａ変換器４９と、受信モニタ系のＤ／Ａ変換器５０と、送信モニタ系のＤ／Ａ変換器５１が備えられている。
【００４８】
屋外装置２には、送信系２１として結合器（ＣＰＬ）６１が備えられており、第２の監視制御信号系２６として制御信号変調部６２が備えられており、第１の監視制御信号系２５として制御信号復調部６３が備えられている。
また、屋外装置２には、送信系や受信系や受信モニタ系や送信モニタ系の信号のレベルを制御するための構成部として、レベル検出器７１と、Ａ／Ｄ変換器７２と、平均化処理部７３が備えられている。
【００４９】
本例の無線基地局システムにより行われる動作の一例を示す。
一般的に、移動体通信向けの基地局では、常時、制御チャネル用の信号を所定の一定電力以上で送信している。当該信号は、送信系の信号として、送信される。
室内装置１では、装置起動又は初期化動作の後に、直ちに、送信系の送信信号（ＦＬ：フォワードリンク）の電力を、周波数多重器１８及び可変利得器３２の前段に配置されたレベル検出器４１により、検出する。ここで、レベル検出器４１は、本例では、電力検出器から構成されている。
【００５０】
室内装置１からの送信系の信号は、可変利得器３２を通過して、周波数多重器１８により同軸ケーブル３へ出力され、そして、屋外装置２へ入力される。当該信号は、屋外装置２において、周波数多重器２８により抽出された後に、結合器６１を通過して、そして、増幅や周波数変換等の処理が行われる。ここで、増幅や周波数変換等の処理を行う構成部（図示せず）は、結合器６１の後段に備えられている。
【００５１】
また、屋外装置２では、室内装置１から受信入力された送信系の信号が結合器７１により取り出され、当該取り出された信号の電力がレベル検出器７１により検出される。ここで、レベル検出器７１は、本例では、電力検出器から構成されている。
【００５２】
なお、室内装置１のレベル検出器４１や屋外装置２のレベル検出器７１に関しては、例えば、それぞれ、単体の温度特性や経年変化特性が十分な精度で管理されるのが好ましい。また、これら２つのレベル検出器４１、７１は、同じ回路であることが好ましい。
【００５３】
屋外装置２では、レベル検出器７１による検出結果が、Ａ／Ｄ変換器７２によりアナログ信号からデジタル信号へ変換され、平均化処理部７３により例えば所定の時間の間だけ平均化されて、当該平均化結果が制御信号変調部６２へ出力される。当該平均化結果は、レベル検出器７１により検出される電力レベルの平均値に相当し、当該平均値を表す情報が制御信号変調部７３により変調された第２の監視制御信号に含まれて室内装置１に対して送信される。
【００５４】
なお、当該情報は、例えば、制御信号変調部６２により、なるべく低い周波数の高周波変調信号へ変換されて送信されるのが好ましい。周波数が低いことが良い理由は、同軸ケーブル３の長さによる損失の変化幅を小さくすることを図るためである。
【００５５】
室内装置１では、屋外装置２の制御信号変調部６２から送信される情報を制御信号復調部３７により復調し、当該復調結果が比較制御部４４へ入力される。当該復調結果は、屋外装置２の平均化処理部７３で得られた平均値の情報を表す。
なお、制御信号復調部３７のダイナミックレンジとしては、例えば、使用が想定される同軸ケーブル３の長さによる損失範囲に対して十分な余裕があるように設定されるのが好ましい。
【００５６】
また、室内装置１では、レベル検出器４１による送信系の信号の電力レベルの検出結果が、Ａ／Ｄ変換器４２によりアナログ信号からデジタル信号へ変換され、平均化処理部４３により所定の時間の間だけ平均化されて、当該平均化結果が比較制御部４４へ入力される。当該平均化結果は、レベル検出器４１により検出される電力レベルの平均値に相当する。
【００５７】
室内装置１の比較制御部４４は、平均化処理部４３から入力される情報と制御信号復調部３７から入力される情報とを比較し、具体的には、送信系の信号の電力レベルについて、室内装置１のレベル検出器４１により検出された結果の平均値と、屋外装置２のレベル検出器７１により検出された結果の平均値との大小を比較する。
【００５８】
そして、比較制御部４４は、当該比較結果に基づいて、室内装置１での電力レベルの検出結果（平均化結果）に対して屋外装置２での電力レベルの検出結果（平均化結果）が適正な値となるように、送信系の可変利得器３２の利得を制御する。
【００５９】
ここで、比較制御部４４では、例えば、室内装置１での検出結果（平均化結果）と屋外装置２での検出結果（平均化結果）との差が予め設定された値に近づくように制御することが行われ、入力レベルに対して予め設計するケーブル区間の標準損失量から決まる出力側の設定値に合わせるように制御することが行われる。他の構成例として、室内装置１での検出結果（平均化結果）と屋外装置２での検出結果（平均化結果）とを合わせるように制御する態様や、送信系の信号の可変利得器３２及び同軸ケーブル３での損失が常に一定となるように制御する態様などを用いることも可能である。
【００６０】
比較制御部４５は、送信系の可変利得器３２の利得を制御するための電圧信号をＤ／Ａ変換器４５及び収束結果取得部４６へ出力する。当該電圧信号は、当該Ｄ／Ａ変換器４５によりデジタル信号からアナログ信号へ変換されて、可変利得器３２の利得制御端子へ入力される。これにより、送信系の可変利得器３２の利得が制御されて調整される。
【００６１】
また、比較制御部４５は、平均化処理部４３からの入力と制御信号復調部３７からの入力とを比較して当該比較結果に基づいて可変利得器３２を制御する動作を繰り返して実行することにより、可変利得器３２の利得が最適値になるように調整し、最適値となったときに動作が収束したものとみなす。本例では、予め設定された収束条件が達成されたときに、収束したものとして判定する。
【００６２】
収束判定となった場合には、比較制御部４４から出力される可変利得器３２の制御電圧が収束結果取得部４６により取得されて、当該制御電圧に基づいてケーブル補正値設定部４７により同軸ケーブル３の長さが判定される。なお、同軸ケーブル３の長さの判定は、例えば、同軸ケーブル３の単位長さ当たりの周波数毎の損失量の情報などに基づいて行われる。
【００６３】
メモリ４８には、例えば生産時に予め、受信系と受信モニタ系と送信モニタ系の各系の可変利得器３３、３４、３５毎に、且つ、同軸ケーブル３の長さ毎に、可変利得器に関する補正値が記憶されている。当該補正値としては、例えば、可変利得器に対する制御値を用いることができる。
【００６４】
ケーブル補正値設定部４７は、同軸ケーブル３の長さを判定した後に、当該判定結果に対応してメモリ４８に記憶されている各系の可変利得器３３、３４、３５に関する補正値を読み出し、当該読み出した補正値に従って各系の可変利得器３３、３４、３５に対して制御のための電圧信号を出力する。当該電圧信号は、各系のＤ／Ａ変換器４９、５０、５１によりデジタル信号からアナログ信号へ変換されて、各系の可変利得器３３、３４、３５の利得制御端子へ入力される。これにより、各系の可変利得器３３、３４、３５の利得が制御されて調整が完了される。
【００６５】
なお、本例では、それぞれの可変利得器３２、３３、３４、３５として、可変減衰器（可変ＡＴＴ）を用いている。他の構成例として、可変利得増幅器などの種々なものを用いることも可能であり、同軸ケーブル３での損失分を補正するという観点からは可変利得増幅器を用いる方が好ましい場合が考えられる。
【００６６】
図３を参照して、室内装置１により行われる動作の一例を示す。
室内装置１では、まず、電源がオン（ＯＮ）にされると（ステップＳ１）、比較制御部４４やケーブル補正値設定部４７により、各系の可変利得器３２、３３、３４、３５の利得として初期値が設定される（ステップＳ２）。当該初期値としては、同軸ケーブル３の長さがゼロ（０ｍ）であるとみなした場合における値が設定され、可変利得器３２〜３５として可変減衰器を用いた場合には最大の減衰量が設定される。
【００６７】
室内装置１では、次に、初期値として、平均化回数のカウント値Ｎ１をゼロ（Ｎ１＝０）として、合計電力レベルの値ＬＶ１をゼロ（ＬＶ１＝０）とする（ステップＳ３）。
室内装置１では、次に、レベル検出器４１により送信系の信号の電力レベルを検出して、当該検出した電力レベルの値Ｍ１を取得し（ステップＳ４）、平均化回数のカウント値Ｎ１を１だけ増加させるとともに、合計電力レベルの値ＬＶ１に当該検出した電力レベルの値Ｍ１を加算する（ステップＳ５）。
【００６８】
室内装置１では、次に、平均化回数のカウント値Ｎ１が予め設定された所定の回数に達したか否かを比較して判定し（ステップＳ６）、平均化回数のカウント値Ｎ１が所定の回数に達していないと判定した場合には、レベル検出器４１によるレベル検出及び検出結果の加算を繰り返して実行する（ステップＳ４、ステップＳ５）。なお、当該所定の回数としては、種々な回数が用いられてもよい。
【００６９】
一方、室内装置１では、平均化回数のカウント値Ｎ１が所定の回数に達したと判定した場合には、合計電力レベルの値ＬＶ１を平均化回数のカウント値Ｎ１により割り算した結果の値Ｌ１（＝ＬＶ１／Ｎ１）を平均化結果として取得する（ステップＳ７）。
【００７０】
室内装置１では、次に、制御信号復調部３７により屋外装置２から送信系の信号の受信電力レベルの平均値Ｌ２の情報が取得されているか否かを判定し（ステップＳ８）、未だ取得されていない場合には、取得されるまで待機する。
【００７１】
一方、室内装置１では、屋外装置２から送信系の信号の受信電力レベルの平均値Ｌ２の情報が既に取得されていた場合或いは待機して取得された場合には、送信系の信号の電力レベルに関して、室内装置１での平均化結果Ｌ１と、屋外装置２での平均化結果Ｌ２と、可変利得器３２に設定された補正値（本例では、ＡＴＴ値）Ｐから決定される値Ｑが、所定の条件を満たすか否かを判定する（ステップＳ９）。当該所定の条件としては、本例では、当該値Ｑ（＝Ｌ１−Ｌ２＋Ｐ）が所定の目標値となるという条件が用いられている。
【００７２】
この結果、当該所定の条件が満たされたことを判定した場合には、室内装置１では、可変利得器３２に設定された補正値（本例では、ＡＴＴ値）Ｐに基づいて同軸ケーブル３の長さを判定し（ステップＳ１０）、当該判定した長さに基づいて送信系以外の系である受信系や受信モニタ系や送信モニタ系の可変利得器３３、３４、３５に関する補正値を決定し（ステップＳ１１）、当該補正値に基づいてこれらの可変利得器３３、３４、３５の利得を制御するためのそれぞれの電圧を設定する（ステップＳ１２）。
【００７３】
これにより、利得の補正が完了し（ステップＳ１３）、室内装置１では、再び、平均化回数のカウント値Ｎ１をゼロ（Ｎ１＝０）とするとともに、合計電力レベルの値ＬＶ１をゼロ（ＬＶ１＝０）として（ステップＳ３）、同様な処理を行う（ステップＳ４〜ステップＳ１７）。
【００７４】
一方、上記した所定の条件が満たされないことを判定した場合には（ステップＳ９）、室内装置１では、上記した値Ｑ（＝Ｌ１−Ｌ２＋Ｐ）と所定の目標値との大小を比較する（ステップＳ１４）。
この結果、室内装置１では、上記した値Ｑが目標値と比べて大きい場合には、送信系の信号の可変利得器３２に関する補正値（本例では、ＡＴＴ値）を１ビット（ｂｉｔ）減算させて、可変利得器３２の利得を大きくし或いは減衰量を小さくし（ステップＳ１５）、再び、平均化回数のカウント値Ｎ１をゼロ（Ｎ１＝０）とするとともに、合計電力レベルの値ＬＶ１をゼロ（ＬＶ１＝０）として（ステップＳ３）、同様な処理を行う（ステップＳ４〜ステップＳ１７）。
【００７５】
また、室内装置１では、上記した値Ｑが目標値と比べて小さい場合には、送信系の信号の可変利得器３２に関する補正値（本例では、ＡＴＴ値）を１ビット（ｂｉｔ）加算させて、可変利得器３２の利得を小さくし或いは減衰量を大きくし（ステップＳ１６）、再び、平均化回数のカウント値Ｎ１をゼロ（Ｎ１＝０）とするとともに、合計電力レベルの値ＬＶ１をゼロ（ＬＶ１＝０）として（ステップＳ３）、同様な処理を行う（ステップＳ４〜ステップＳ１７）。
【００７６】
また、室内装置１では、上記した値Ｑが目標値と比べて所定の正常範囲を超えて大きいか或いは小さい場合には、同軸ケーブル３などに関して異常な状態が発生したとみなして、本例の無線基地局システムを監視する装置や人などに対して、当該異常の発生を通知する（ステップＳ１７）。なお、当該正常範囲としては、種々な範囲が用いられてもよい。
【００７７】
図４を参照して、屋外装置２により行われる動作の一例を示す。
屋外装置２では、まず、電源がオン（ＯＮ）にされると（ステップＳ２１）、初期値として、平均化回数のカウント値Ｎ２をゼロ（Ｎ２＝０）として、合計電力レベルの値ＬＶ２をゼロ（ＬＶ２＝０）とする（ステップＳ２２）。
屋外装置２では、次に、レベル検出器７１により送信系の信号の電力レベルを検出して、当該検出した電力レベルの値Ｍ２を取得し（ステップＳ２３）、平均化回数のカウント値Ｎ２を１だけ増加させるとともに、合計電力レベルの値ＬＶ２に当該検出した電力レベルの値Ｍ２を加算する（ステップＳ２４）。
【００７８】
屋外装置２では、次に、平均化回数のカウント値Ｎ２が予め設定された所定の回数に達したか否かを比較して判定し（ステップＳ２５）、平均化回数のカウント値Ｎ２が所定の回数に達していないと判定した場合には、レベル検出器７１によるレベル検出及び検出結果の加算を繰り返して実行する（ステップＳ２３、ステップＳ２４）。なお、当該所定の回数としては、種々な回数が用いられてもよい。
【００７９】
一方、屋外装置２では、平均化回数のカウント値Ｎ２が所定の回数に達したと判定した場合には、合計電力レベルの値ＬＶ２を平均化回数のカウント値Ｎ２により割り算した結果の値Ｌ２（＝ＬＶ２／Ｎ２）を平均化結果として取得する（ステップＳ２６）。
そして、屋外装置２では、取得した平均化結果の値Ｌ２の情報を制御信号変調部６２から第２の監視制御信号に含めて室内装置１に対して通知する（ステップＳ２７）。
【００８０】
以上のように、本例の無線基地局システムでは、複数の高周波信号（本例では、計７波の系の信号）が周波数多重されている１本のケーブル３の損失について、当該ケーブル３で接続される両方の装置１、２に配置された検出器４１、７１により１つの周波数信号の出力或いは入力の高周波電力をそれぞれ検出し、当該電力検出結果に基づいて可変利得器３２により当該周波数におけるケーブル３の損失を補償し、更に、当該補償結果に基づいてケーブル３の長さを特定し、電力検出を行った信号周波数とは異なる所定の各周波数信号系に関してケーブル３の長さ毎に可変利得器補正値を記憶したメモリ４８の記憶内容を用いて、当該各周波数系の可変利得器３３、３４、３５により当該各周波数系のケーブル損失を補償することが行われ、これらの処理が制御回路により制御される。
【００８１】
従って、本例の無線基地局システムでは、１本のケーブル３に複数の周波数信号を多重して２つの装置１、２を接続するに際して、例えばユーザによる操作が無くとも自動的に、信号周波数毎にケーブル損失を補正することができ、これにより、例えば、装置１、２を設置する時における高周波ケーブルの校正作業を自動化することが可能となり、また、環境変化により高周波ケーブルの損失が変化したような場合においても最適な補正が可能となる。
【００８２】
また、本例の無線基地局システムでは、電力検出が行われる送信系以外の系については、電力検出が行われなくとも、ケーブル損失を補正することができる。
また、本例の無線基地局システムでは、屋外装置２のレベル検出器７１による検出結果を平均化する平均化処理部７３が当該屋外装置２の側に備えられているため、例えば当該平均化処理部７３の機能を室内装置１の側に備えた場合と比べて、屋外装置２から室内装置１への通信速度を低速化することが可能となる。
【００８３】
このように、本例の無線基地局システムでは、ケーブル損失の補正処理を自動的に行うことが可能であるため、例えば、装置設置時やメンテナンス時における人手による煩雑な校正作業を不要とすることが可能であり、また、環境変化によるケーブル損失の変動についても自動的に校正することができ、メンテナンスフリーなシステムを実現することが可能である。
【００８４】
例えば、屋外装置２は屋外や塔頂などに配置されることが多く、高周波ケーブルの温度変化によりケーブル損失が容易に変化することが予想されるが、本例では、定期的或いは常時にケーブル損失に対する補正動作を行うことにより、最適な状態を維持することができる。
【００８５】
なお、本例の無線基地局システムでは、室内装置１により第１の装置が構成されており、屋外装置２により第２の装置が構成されており、送信系１１の信号により基準となる周波数信号が構成されている。
また、本例の室内装置１では、レベル検出器４１の機能や平均化処理部４３の機能により送信側基準周波数信号レベル検出手段が構成されており、制御信号復調部３７の機能により受信側基準周波数信号レベル検出結果受信手段が構成されており、比較制御部４４の機能や可変利得器３２の機能や収束結果取得部４６の機能やメモリ４８の機能やケーブル補正値設定部４７の機能や可変利得器３３、３４、３５の機能により基準以外周波数信号レベル制御手段が構成されている。
【００８６】
また、本例の室内装置１では、比較制御部４４の機能や可変利得器３２の機能により基準周波数信号レベル制御手段が構成されており、比較制御部４４による制御結果（本例では、収束結果に対応したケーブル長）と各可変利得器３３、３４、３５の制御態様との対応を記憶するメモリ４８の機能により基準周波数信号レベル制御結果基準以外周波数信号レベル制御態様対応記憶手段が構成されている。
また、本例の屋外装置２では、レベル検出器７１の機能や平均化処理部７３の機能により受信側基準周波数信号レベル検出手段が構成されており、制御信号変調部６２の機能により受信側基準周波数信号レベル検出結果送信手段が構成されている。
【００８７】
次に、本発明に係る第２実施例を説明する。
図５には、本例の無線基地局システムの構成例を示してある。なお、概略的な構成については、上記図１に示した通りである。
ここで、本例の無線基地局システムの構成や動作は、例えば、上記第１実施例の上記図２に示した無線基地局システムの構成や動作と比較して、屋外装置２のレベル検出器７１による検出結果を平均化する平均化処理部７３の機能が屋外装置２の側ではなく室内装置１の側に平均化処理部８１として備えられている点を除いては、上記第１実施例の上記図２に示した無線基地局システムの構成や動作と同様である。図５では、上記図２に示したのと同様な構成部分については、同一の符号を用いて示してある。
【００８８】
本例の屋外装置２では、レベル検出器７１による検出結果がＡ／Ｄ変換器７２によりＡ／Ｄ変換されて、当該Ａ／Ｄ変換結果の情報が制御信号変調部６２から第２の監視制御信号に含められて室内装置１に対して送信される。
また、本例の室内装置１では、屋外装置２のレベル検出器７１によるレベル検出結果の情報が制御信号復調部３７により復調され、当該レベル検出結果が平均化処理部８１により平均化されて、当該平均化結果が比較制御部４４へ入力される。
【００８９】
以上のように、本例の無線基地局システムでは、各周波数信号に関するケーブル損失についての補正を効率的に行うことができる。
なお、本例の屋外装置２では、レベル検出器７１の機能により受信側基準周波数信号レベル検出手段が構成されている。また、本例では、室内装置１の平均化処理部８１の機能により受信側基準周波数信号レベル検出結果平均化手段が構成されている。
【００９０】
次に、以上に示した本発明に係る実施例（第１、２実施例）について、他の構成例を示す。
一構成例として、室内装置１のレベル検出器４１による検出結果を平均化する平均化処理部４３の機能や、屋外装置２のレベル検出器７１による検出結果を平均化する平均化処理部７３、８１の機能が、備えられないような構成を実施することも可能である。
【００９１】
一構成例として、本実施例ではレベル制御を行う対象となる全ての周波数信号についての可変利得器３２、３３、３４、３５によるレベル制御を室内装置１の側で行ったが、これらの周波数信号の全て或いは一部についての可変利得器によるレベル制御を屋外装置２の側で行うような構成（ここで、構成Ａと言う）を実施することも可能である。
【００９２】
なお、このような構成（構成Ａ）を実施することも可能であるが、本実施例に係る構成の方が、（１）ケーブル長対補正値の記憶テーブルを装置毎の個別値（生産時に書き込む調整値）とする場合に制御が複雑とならない点や、（２）一般的に室内装置側と比べて屋外装置側の方が環境条件の変化が大きいために可変利得器及び制御回路を室内装置側にまとめた方が誤差や信頼性の面で有利となる点で、好ましい。
一方、当該（１）に関して無調整の可変利得器を使用することができるような場合や、当該（２）に関して環境の差が無い場合或いは環境の差が問題とならないような場合には、必要な情報を第１或いは第２の監視制御信号に含めることにより、このような構成（構成Ａ）を実施することも有効である。
【００９３】
一構成例として、送信系１１以外の系の周波数信号を基準としてケーブル損失を補正する構成を実施することも可能である。一例として、常時に一定レベル以上の信号が存在するような系がある場合には、当該系の信号を基準として用いるのが好ましい。
【００９４】
なお、本実施例では、例えば、ＣＤＭＡ（Ｃｏｄｅ  Ｄｉｖｉｓｉｏｎ  Ｍｕｌｔｉｐｌｅ  Ａｃｃｅｓｓ）方式を用いた無線基地局システムが想定され、当該無線基地局システムでは一般に運用中のフォワードリンク系（送信系）には、常時、制御信号等の或る一定電力以上の信号が存在することから、当該信号を基準として有効に利用することができる。一方、当該無線基地局システムでは、リバースリンク系（受信系）には、信号が全く無い場合も想定され、また、入力があっても電力が微小なことが多く、電力検出が困難である。また、当該無線基地局システムでは、モニタ系（送信モニタ系、受信モニタ系）には、例えば、テスト信号が外部から入力されたときのみ信号が存在するため、常時に制御することが困難である。
【００９５】
また、本発明の適用対象としては、必ずしも室内装置と屋外装置から成るシステムに限定されることはなく、例えば、或る一定電力レベル以上の信号が常時１系以上存在するようなシステムや、周波数軸上に複数の信号が多重されて伝送路がまとまっているようなシステムや、伝送路の損失の環境による変化量が予め推定されるようなシステムなどに、特に有効に適用することが可能である。
【００９６】
また、本発明の適用対象は、第１の装置と第２の装置とを有線のケーブルで接続するシステムであるが、例えば、本発明と同様な構成を、第１の装置と第２の装置とを無線の伝送路により接続するようなシステムに適用することも可能である。
なお、一般に、無線通信では、伝送路の各周波数に関する変動量を予め予測することが困難である場合が多く、無線区間において各周波数毎の信号がフェージング等により個別に変動することから、本発明を適用することが容易ではないこともあり得るが、同様な構成を適用することは可能である。
【００９７】
ここで、本発明に係る通信システムや第１の装置や第２の装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
【００９８】
また、本発明に係る通信システムや第１の装置や第２の装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【００９９】
【発明の効果】
以上説明したように、本発明に係る通信システムによると、第１の装置と第２の装置との間で共通のケーブルを介して複数の周波数信号を通信する構成において、第１の装置ではケーブルを介して第２の装置に対して送信する周波数信号の中で基準となる周波数信号のレベルを検出し、第２の装置ではケーブルを介して第１の装置から受信される基準となる周波数信号のレベルを検出し、更に、第１の装置などにおいて、第１の装置における検出結果と第２の装置における検出結果との比較結果に基づいて第１の装置と第２の装置との間でケーブルを介して通信する基準となる周波数信号以外の周波数信号のレベルを制御するようにしたため、それぞれの周波数信号のケーブルでのレベル損失分を効率的に補正することができる。
【図面の簡単な説明】
【図１】本発明の実施例に係る無線基地局システムの概略的な構成例を示す図である。
【図２】本発明の第１実施例に係る無線基地局システムの構成例を示す図である。
【図３】室内装置により行われる処理の手順の一例を示す図である。
【図４】屋外装置により行われる処理の手順の一例を示す図である。
【図５】本発明の第２実施例に係る無線基地局システムの構成例を示す図である。
【符号の説明】
１・・室内装置、  ２・・屋外装置、  ３・・同軸ケーブル、
１１、２１・・送信系、  １２、２２・・送信モニタ系、
１３、２３・・受信系、  １４、２４・・受信モニタ系、
１５、２５・・第１の監視制御信号系、
１６、２６・・第２の監視制御信号系、  １７、２７・・ＲＥＦ信号系、
１８、２８・・周波数多重器、  ３１、６１・・結合器、
３２〜３５・・可変利得器、  ３６・・基準周波数送信部、
３７、６３・・制御信号復調部、  ３８、６２・・制御信号変調部、
４１、７１・・レベル検出器、  ４２、７２・・Ａ／Ｄ変換器、
４３、７３、８１・・平均化処理部、  ４４・・比較制御部、
４５、４９〜５１・・Ｄ／Ａ変換器、  ４６・・収束結果取得部、
４７・・ケーブル補正値設定部、  ４８・・メモリ、
【図１】
2005020139.tif 000003
【図２】
2005020139.tif 000004
【図３】
2005020139.tif 000005
【図４】
2005020139.tif 000006
【図５】
2005020139.tif 000007